(57)【要約】      （修正有）【課題】ケーブルトラフを載置する水平支持材の位置を調整できるトラフ支持器具を提供する。【解決手段】敷設箇所に打込んだ支持杭の杭中心線の方向に移動自在として、支持杭に外嵌される円筒体１と、円筒体を支持杭に固定する筒体固定具２と、円筒体に片持ちで固定されて、トラフ本体の底面に一体に形成された第１及び第２突条の各横条部を載置する水平支持材３と、第１及び第２横条部及びトラフ本体の底面の間に挿入されて、第１及び第２横条部に当接されるトラフ挟持材４と、トラフ挟持材に固定されて、各横条部の間、水平支持材の順に貫通する固定ネジ軸６と、水平支持材から突出した固定ネジ軸に螺着されて、水平支持材に当接自在にされる固定ナット８を備える。【選択図】図６
0003230633.tif 000002
【実用新案登録請求の範囲】
【請求項１】
長尺のトラフ本体と、
前記トラフ本体の底面に溝間隔を隔てて配置され、及び前記トラフ本体の長手方向に延在される第１横条部を有し、前記トラフ本体の底面に一体に形成される第１突条と、
前記トラフ本体の底面に前記溝間隔を隔てて配置され、前記トラフ本体の幅方向に挿入間隔を隔てて前記第１横条部に並列され、及び前記トラフ本体の長手方向に延在される第２横条部を有し、前記トラフ本体の底面に一体に形成される第２突条と、から成るケーブルトラフを敷設箇所に敷設するトラフ支持器具であって、
前記敷設箇所に打込んだ支持杭の杭中心線の方向に移動自在として、前記支持杭に外嵌される円筒体と、
前記支持杭に外嵌した前記円筒体を、前記支持杭に固定する筒体固定具と、
前記円筒体に片持ちで固定され、前記円筒体の筒中心線と直交する方向に延在され、前記各突条の前記第１及び第２横条部を載置する水平支持材と、
前記各横条部及び前記トラフ本体の底面の間に挿入され、前記第１及び第２横条部に当接されるトラフ挟持材と、
前記トラフ挟持材に固定され、前記円筒体の筒中心線の方向に移動自在に、前記第１及び第２横条部の間、及び前記水平支持材の順に貫通して、前記水平支持材から突出される固定ネジ軸と、
前記水平支持材から突出した前記固定ネジ軸に螺着され、前記円筒体の筒中心線の方向から前記水平支持材に当接自在にされる固定ナットと、
を備えることを特徴とするトラフ支持器具。
【考案の詳細な説明】
【技術分野】
【０００１】
本考案は、ケーブルトラフを敷設するために使用されるトラフ支持器具に関する。
【背景技術】
【０００２】
ケーブルトラフを敷設する技術として、特許文献１は、トラフ支持構造を開示する。トラフ支持構造は、複数のトラフ支持杭、及びトラフ支持台を備える。各トラフ支持杭は、外周に羽根を有するスクリューに形成される。トラフ支持構造において、各トラフ支持杭は、相互に間隔を隔てて配置されて、回転されて地中に差込まれる。トラフ支持台は、各トラフ支持杭に架設される。トラフ支持構造は、ケーブルトラフをトラフ支持台上に配置して敷設する。
【先行技術文献】
【特許文献】
【０００３】
【特許文献１】特開２００１−９５１３７号公報
【考案の概要】
【考案が解決しようとする課題】
【０００４】
特許文献１のトラフ支持構造は、トラフ支持台の位置（高さ位置）を調整する機構がなく、連続するケーブルトラフを接合するのに時間を要する。
【０００５】
本考案は、ケーブルトラフを載置する水平支持材の位置を調整できるトラフ支持器具を提供することにある。
【課題を解決するための手段】
【０００６】
本考案に係る請求項１は、長尺のトラフ本体と、前記トラフ本体の底面に溝間隔を隔てて配置され、及び前記トラフ本体の長手方向に延在される第１横条部を有し、前記トラフ本体の底面に一体に形成される第１突条と、前記トラフ本体の底面に前記溝間隔を隔てて配置され、前記トラフ本体の幅方向に挿入間隔を隔てて前記第１横条部に並列され、及び前記トラフ本体の長手方向に延在される第２横条部を有し、前記トラフ本体の底面に一体に形成される第２突条と、から成るケーブルトラフを敷設箇所に敷設するトラフ支持器具であって、前記敷設箇所に打込んだ支持杭の杭中心線の方向に移動自在として、前記支持杭に外嵌される円筒体と、前記支持杭に外嵌した前記円筒体を、前記支持杭に固定する筒体固定具と、前記円筒体に片持ちで固定され、前記円筒体の筒中心線と直交する方向に延在され、前記各突条の前記第１及び第２横条部を載置する水平支持材と、前記各横条部及び前記トラフ本体の底面の間に挿入され、前記第１及び第２横条部に当接されるトラフ挟持材と、前記トラフ挟持材に固定され、前記円筒体の筒中心線の方向に移動自在に、前記第1及び第２横条部の間、及び前記水平支持材の順に貫通して、前記水平支持材から突出される固定ネジ軸と、前記水平支持材から突出した前記固定ネジ軸に螺着され、前記円筒体の筒中心線の方向から前記円筒体の筒中心線の方向から前記水平支持材に当接自在にされる固定ナットと、を備えることを特徴とするトラフ支持器具である。
【考案の効果】
【０００７】
本考案によれば、円筒体を支持杭の杭中心線の方向に移動して、支持杭に対して任意の位置（高さ位置）に調整し、円筒体を筒体固定具によって支持杭に固定する。
これにより、支持枠に外嵌される円筒体、筒体固定具によって、ケーブルトラフを載置する水平支持材の高さ位置（支持杭の杭中心線の方向の位置）を調整して、支持杭に固定できる。
本考案によれば、固定ナットを固定ネジ軸に対して水平支持材に向けて回転して、水平支持材に締付ける（押付ける）ことで、水平支持材及びトラフ挟持材は、固定ネジ軸及び固定ナットの締付け力によって、第１及び第２横条部を挟持する。
これにより、ケーブルトラフの第１及び第２横条部を、水平支持材及びトラフ挟持材によって挟持することで、第１及び第２突条を有するケーブルトラフを水平支持材上に固定して、トラフ敷設箇所に敷設できる。
【図面の簡単な説明】
【０００８】
【図１】トラフ支持器具を示す正面図である。
【図２】トラフ支持器具を示す背面図（裏面図）である。
【図３】トラフ支持器具を示す左側面拡大図である。
【図４】トラフ支持器具を示す平面図（上面図）である。
【図５】トラフ支持器具を示す底面図（下面図）である
【図６】トラフ支持器具を示す背面下方からの斜視図である。
【図７】図４のＡ−Ａ断面図である。
【図８】鉄道線路の側方（トラフ敷設箇所）に複数の支持杭を打込んだ斜視図である。
【図９】鉄道線路の側方（トラフ敷設箇所）に打込んだ各支持杭に、トラフ支持器具を設置した斜視図である。
【図１０】鉄道線路の側方（トラフ敷設箇所）に打込んだ各支持杭に、トラフ支持器具を設置して、ケーブルトラフをトラフ支持器具に固定した正面図である。
【図１１】円筒体、支持杭、及び筒体固定具の関係を示す背面図である。
【図１２】図１０のケーブルトラフ、水平支持材、トラフ挟持材及びトラフ固定具を示す一部拡大図である。
【図１３】図１２のＬ部分拡大図である。
【図１４】図１０のＢ−Ｂ断面拡大図である。
【図１５】ケーブルトラフ、トラフ挟持材及びトラフ固定具（固定ネジ軸）の関係を示す下方からの斜視図である。
【図１６】支持杭に、複数のトラフ支持器具を設置して、複数のケーブルトラフを敷設した正面図である。
【考案を実施するための形態】
【０００９】
本考案に係るトラフ支持器具について、図１乃至図１６を参照して説明する。
【００１０】
図８乃至図１６において、トラフ支持器具Ｘ（トラフ支持具）は、例えば、鉄道線路ＲＷの側方（敷設箇所ＳＯ）に沿ってケーブルトラフＹ（トラフ）を敷設するために用いられる。
【００１１】
トラフ支持器具Ｘは、図１乃至図７に示すように、円筒体１、筒体固定具２、水平支持材３、トラフ挟持材４、及びトラフ固定具５（固定ネジ軸６、座金板７及び固定ナット８）を備える。
【００１２】
円筒体１は、図１乃至図７示すように、例えば、金属（鉄、ステンレス等）で形成される。円筒体１は、直径Ｄの杭嵌込み穴１０、スリット穴１１、及び複数（一対）の突出片１２，１３を有する。
【００１３】
杭嵌込み穴１０は、図１乃至図７に示すように、円筒体１の筒中心線ａの方向ＵＤ（上下方向ＵＤ）において、円筒体１の両筒端１Ｂ，１Ｃに開口する。
【００１４】
スリット穴１１は、図２、図４、図５及び図７に示すように、円筒体１（杭嵌込み穴１０）の周方向にスリット幅ＨＳを有して、円筒体１の筒中心線ａの方向ＵＤに延在される。スリット穴１１は、円筒体１の両筒端１Ｂ，１Ｃに開口する。スリット穴１１は、円筒体１の筒中心線ａと直交する方向ＦＲ（前後方向ＦＲ）に貫通して、円筒体１の外周面１Ａ及び杭嵌込み穴１０（内周面）に開口する。
【００１５】
各突出片１２，１３は、図２乃至図６に示すように、円筒体１の外周面１Ａに固定される。各突出片１２，１３は、円筒体１の周方向に並列されて、円筒体１の外周面１Ａから径外方（外方）に突出される。各突出片１２，１３は、各突出片１２，１３の間（相互の間）にスリット穴１１を位置して、スリット穴１１に連続して配置される。
【００１６】
突出片１２は、図２及び図４に示すように、複数（一対）のネジ通し穴１４を有する。各ネジ通し穴１４は、上下方向ＵＤ（円筒体１の筒中心線ａの方向）に並列される。各ネジ通し穴１４は、円筒体１の筒中心線ａと直交する方向ＬＲ（左右方向ＬＲ）において、突出片１２を貫通して形成される。
なお、左右方向ＬＲは、上下方向ＵＤ及び前後方向ＦＲと直交する方向である。
【００１７】
突出片１３は、図２、図３及び図５に示すように、複数（一対）のネジ穴１５を有する。各ネジ穴１５は、各ネジ通し穴１４に対向（対峙）して、突出片１３に配置される。各ネジ穴１５は、上下方向ＵＤに並列される。各ネジ穴１５は、左右方向ＬＲにおいて、突出片１３を貫通して形成される。
突出片１２の各ネジ通し穴１４、及び突出片１３の各ネジ穴１５は、図２、図４及び図５に示すように、ネジ通し穴１４及びネジ穴１５の間（相互の間）にスリット穴１１を位置して連通される。
【００１８】
筒体固定具２（筒固定体）は、図２乃至図７に示すように、例えば、金属（鉄、ステンレス等）のボルト２１，２２（筒体固定ボルト）を備える。各ボルト２１，２２は、ネジ軸２３及び頭部２４を有する。
各ボルト２１，２２は、図２乃至図５に示すように、ネジ軸２３を突出片１２の各ネジ通し穴１４に挿通（貫通）して、更に、ネジ軸２３を突出片１３の各ネジ穴１５に螺着（螺入）して、円筒体１に取付けられる。各ボルト２１，２２は、頭部２４を突出片１２に当接して配置される。
【００１９】
水平支持材３は、図８乃至図１５に示すように、ケーブルトラフＹの第１及び第２突条５２，５３の第１及び第２横条部６２，６６を載置する。
【００２０】
水平支持材３は、図１乃至図７に示すように、例えば、金属（鉄、ステンレス等）のＬ字曲げ板で形成されて、水平板２５（水平支持板）及び水平板２５に直交する垂直板２６を有する。水平支持材３（水平板２５及び垂直板２６）は、板長さＬ１及び板幅Ｈ１を有する。
【００２１】
水平支持材３は、図１乃至図７に示すように、ガイド長穴３１を有する。ガイド長穴３１は、水平板２５（水平支持板）に形成される。ガイド長穴３１は、水平板２５の板長さＬ１の中心及び板幅Ｈ１の中心に配置される。ガイド長穴３１は、水平板２５の板表平面２５ａ（板裏平面２５ｂ）と直交する方向において、水平板２５を貫通して板表平面２５ａ及び板裏平面２５ｂに開口する。ガイド長穴３１は、水平支持材３の板長さ方向において、板長さＬ１の中心から両板長さ端２５Ｃ，２５Ｄ側に延在して水平板２５（水平支持板）に形成される。
【００２２】
水平支持材３は、図１、図２、図４及び図５に示すように、円筒体１に片持ちで固定されて、円筒体１の筒中心線ａと直交する方向ＬＲ（左右方向ＬＲ）に延在される。
水平支持材３は、円筒体１の周方向において、例えば、各突出片１２，１３に対して角度：９０度の間隔を隔てて配置される。水平支持材３は、円筒体１の筒中心線ａの方向ＵＤ（上下方向ＵＤ）において、水平板２５の板表平面２５ａ（板裏平面２５ｂ）を円筒体１の他方の筒端１Ｃに向けて配置される。水平支持材３は、水平板２５及び垂直板２６の一方の板長さ端２５Ｃ，２６Ｃを円筒体１の外周面１Ａに向けて、垂直板２６の一方の板長さ端２６Ｃを円筒体１の外周面１Ａに当接して配置される。
水平支持材３は、図１、図２、図４及び図５に示すように、垂直板２６の一方の板長さ端２６Ｄ側を、溶接等によって円筒体１の外周面１Ａに固定する。
これにより、水平支持材３（水平板２５、垂直板２６）は、図１乃至図６に示すように、板表平面２５ａを円筒体１の他方の筒端１Ｃに向けて、一方の板長さ端２６Ｃ側（板長さ端２６Ｃ）で円筒体１に片持ち支持され、及び円筒体１の外周面１Ａから円筒体１の筒中心線ａの方向と直交する方向ＬＲ（左右方向ＬＲ）に延在される。水平支持材３の水平板２５は、円筒体１の筒中心線ａと直交して、他方の筒端１Ｃに向けて配置される。
【００２３】
トラフ挟持材４は、図１乃至図７に示すように、金属平板（鉄、ステンレス等の平板）であって、例えば、板幅Ｈ２及び板厚さＴ２を有する正方形の金属平板に形成される（以下、「トラフ挟持平板４」という）。
【００２４】
トラフ挟持平板４は、図１乃至図７に示すように、板裏平面４ｂを水平板２５（水平支持材３）の板表平面２５ａに当接して、水平支持材３上（水平板２５上）に載置される。トラフ挟持平板４は、ガイド長穴３１上に位置して、水平板２５（水平支持材３）に配置される。
【００２５】
トラフ固定具５（トラフ固定体）は、トラフ挟持平板４を水平支持材３（水平板２５）に取付ける。トラフ固定具５は、図２乃至図７に示すように、固定ネジ軸６、座金板７及び固定ナット８を有する。
【００２６】
固定ネジ軸６は、図２乃至図７に示すように、トラフ挟持平板４（トラフ挟持材）に固定される。固定ネジ軸６は、ネジ中心線ｄを円筒体１の筒中心線ａの方向ＵＤ（上下方向ＵＤ）向け、及びトラフ挟持平板４の板裏平面４ｂ（板表平面４ａ）に直交して配置される。固定ネジ軸６は、ネジ中心線ｄをトラフ挟持平板４の板中心に位置して配置される。固定ネジ軸６は、一方のネジ軸端６Ａ側をトラフ挟持平板４に固定して、板裏平面４ｂから円筒体１の筒中心線ａの方向ＵＤに突出して延在される。
【００２７】
固定ネジ軸６は、図２乃至図７に示すように、円筒体１の筒中心線ａの方向ＵＤ（上下方向ＵＤ）に移動自在に、水平支持材３を貫通して、水平支持材３から突出される。
固定ネジ軸６は、円筒体１の筒中心線ａの方向ＵＤにおいて、トラフ挟持平板４から水平板２５のガイド長穴３１（水平板２５）を貫通して、水平板２５の板裏平面２５ｂから突出される。
これにより、固定ネジ軸６は、ガイド長穴３１に沿って、円筒体１の筒中心線ａの方向ＵＤ（上下方向ＵＤ）、及び筒中心線ａと直交する方向ＬＦ（左右方向ＬＲ）に移動自在にされる。
【００２８】
座金板７は、図２、図３及び図５乃至図７に示すように、水平支持材３（水平板２５の板裏平面２５ｂ）から突出した固定ネジ軸６に外嵌されて配置される。座金板７、円筒体１の筒中心線ａの方向ＵＤから水平支持材２（水平板２５の板裏平面２５ｂ）に当接自在として、固定ネジ軸６に配置（外嵌）される。
【００２９】
固定ナット８は、図２、図３、図５及び図６に示すように、水平支持材３（水平板２５の板裏平面２５ｂ）から突出した固定ネジ軸６に螺着されて、固定ネジ軸６の他方のネジ軸端６Ｂ及び座金板７の間に配置される。固定ナット８は、円筒体１の筒中心線ａの方向ＵＤ（固定ネジ軸６のネジ中心線ｄの方向）から水平支持材３（水平板２５の板裏平面２５ｂ）に当接自在に配置される。
【００３０】
トラフ固定具５は、固定ナット８を固定ネジ軸６に対して、水平支持材３（水平板２５）に向けて回動して、水平板２５（板裏平面２５ｂ）に当接することで、トラフ挟持平板４を水平支持材３（水平板２５）に取付ける。
【００３１】
図８乃至図１５において、トラフ支持器具Ｘは、支持杭Ｚと共に、ケーブルトラフＹ（トラフ）をトラフ敷設箇所ＳＯに敷設するために使用される。
【００３２】
ケーブルトラフＹを敷設する箇所ＳＯ（場所）は、図８乃至図１５に示すように、例えば、鉄道線路ＲＷの側方である。ケーブルトラフＹは、鉄道線路ＲＷの側方（敷設箇所ＳＯ）に沿って敷設される。
【００３３】
ケーブルトラフＹは、図１０、及び図１２乃至図１５に示すように、長尺のトラフ本体５１、第１突条５２及び第２突条５３とから成る。
【００３４】
トラフ本体５１は、図１０、及び図１２乃至図１５に示すように、断面四角形の長尺筒体に形成されて、トラフ本体５１の長手方向ＬＤ（トラフ筒中心線ｆの方向）に開閉自在なトラフ上部５５及びトラフ下部５６を有する。トラフ本体５１（トラフ上部５５、トラフ下部５６）は、トラフ本体５１の長手方向ＬＤにトラフ長さＬＸを有する。
【００３５】
第１突条５２及び第２突条５３は、図１０、及び図１２乃至図１５に示すように、トラフ本体５１（トラフ下部５６）の底面５１Ａに一体に形成される。
第１及び第２突条５２，５３は、トラフ本体５１の幅方向ＬＨ（トラフ筒中心線ｆと直交する方向）において、トラフ幅の中心ｇの両側に並列されて、トラフ下部５６の底面５１Ａに一体に形成される。
【００３６】
第１突条５２（第１突起）は、図１４乃至図１５に示すように、第１縦条部６１（第１縦突起部）、及び第１横条部６２（第１横突起部）を有する。
第１縦条部６１は、トラフ本体５１の幅方向ＬＨにおいて、トラフ幅の中心ｇから一方のトラフ幅端に横溝間隔ε１（横溝隙間）を隔てて配置される。第１縦条部６１は、トラフ下部５６（トラフ本体５１）の底面５１Ａと直交して、トラフ下部５６（トラフ本体５１）の底面５１Ａから下方に突出される。
横溝間隔ε１は、図１３に示すように、トラフ挟持平板４の板幅Ｈ２の半分、又は板幅Ｈ２の半分より僅かに大きい隙間である[ε１≧（１／２）×Ｈ２]。
トラフ挟持平板４は、横溝間隔ε１の２倍、又は横溝間隔ε１の２倍より僅かに小さい板幅Ｈ２を有する（ε２≧Ｔ２）。
【００３７】
第１横条部６２は、図１３に示すように、トラフ本体５１の高さ方向ＬＵにおいて、トラフ本体５１（トラフ下部５６）の底面５１Ａに縦溝間隔ε２（溝間隔）を隔てて、底面５１Ａに平行に配置される。第１横条部６２は、第１縦条部６１に一体に形成される。
第１横条部６２は、トラフ本体５１の幅方向ＬＨにおいて、第１縦条部６１からトラフ幅の中心ｇ側に突出される。
縦溝間隔ε２（縦溝隙間）は、図１３に示すように、トラフ挟持平板４の板厚さＴ２、又は板厚さＴ２より僅かに大きい隙間である。
トラフ挟持平板４は、縦溝間隔ε２と同一、又は縦溝間隔ε２より僅かに小さい板厚さＴ２を有する。
【００３８】
第１縦条部６１、及び第１横条部６２（第１突条５２）は、図１３乃至図１５に示すように、トラフ本体５１の長手方向ＬＤに延在されて、トラフ本体５１（トラフ下部５６）の各トラフ長さ端５１Ｂ，５１Ｃの間に配置される。
【００３９】
第２突条５３（第２突起）は、図１３及び図１５に示すように、第２縦条部６５（第２縦突起部）、及び第２横条部６６（第２横突起部）を有する。
第２縦条部６５は、図１３に示すように、トラフ本体５１の幅方向ＬＨにおいて、トラフ幅の中心ｇから他方のトラフ幅端に横溝間隔ε１を隔てて配置される。第２縦条部６５は、トラフ下部５６（トラフ本体５１）の底面５１Ａと直交して、トラフ下部５６（トラフ本体５１）の底面５１Ａから下方に突出される。
第２縦条部６５は、トラフ本体５１の幅方向ＬＨにおいて、第１縦条部５１に対向して配置される。
【００４０】
第２横条部６６は、図１３に示すように、トラフ本体５１の高さ方向ＬＵ（長手方向ＬＤ及び幅方向ＬＨと直交する方向）において、トラフ本体５１（トラフ下部５６）の底面５１Ａに縦溝間隔ε２（溝間隔）を隔てて、底面５１Ａに平行に配置される。第２横条部６６は、第２縦条部６５に一体に形成される。
第２横条部６６は、トラフ本体５１の幅方向ＬＨにおいて、第２縦条部６５からトラフ幅の中心ｇ側に突出される。第２横条部６６は、トラフ本体５１の幅方向ＬＨに挿入間隔σ（挿入隙間）を隔てて第１横条部６２に並列される。
挿入間隔σは、固定ボルト軸６の直径より大きい隙間である。固定ボルト軸６は、挿入間隔σより小さい直径を有する。
【００４１】
第２縦条部６５、及び第２横条部６６は、図１３及び図１５に示すように、トラフ本体５１の長手方向ＬＤに延在されて、トラフ本体５１（トラフ下部５６）の各トラフ長さ端５１Ｂ，５１Ｃの間に配置される。
【００４２】
ケーブルトラフＹの敷設において、複数の支持杭Ｚは、図８乃至図１０に示すように、金属（鉄、ステンレス等）の丸棒パイプであって、杭嵌込み穴１０の直径Ｄより僅かに小さい小径の円筒形に形成される。各支持杭Ｚの下端側Ｚａは、鋭角形に形成される。各支持杭Ｚは、下端側Ｚａからトラフ敷設箇所ＳＯ（鉄道線路ＲＷの側方）に打込まれる。各支持杭Ｚは、各支持杭Ｚの間（相互の間）に杭間隔を隔てて鉄道線路ＲＷに沿って配置されて、トラフ敷設箇所ＳＯの地中に打込まれる。各支持杭Ｚの杭間隔は、ケーブルトラフＹのトラフ長さＬＸより僅かに短い間隔である。各支持杭Ｚは、途中までトラフ敷設箇所ＳＯ（地中）に打込まれる。
これにより、各支持杭Ｚは、図８乃至図１０に示すように、地面から突出して立設される。
【００４３】
各支持杭Ｚの打ち込みに続いて、各支持杭Ｚにトラフ支持器具Ｘを設置する。各トラフ支持器具Ｘは、図８乃至図１１に示すように、各支持杭Ｚの上端から円筒体１に各支持杭Ｚを嵌込んで配置される。円筒体１は、一方の筒端１Ｂから支持杭Ｚに外嵌されて、杭嵌込み穴１０に支持杭Ｚを貫通（挿通）する。
これにより、各トラフ支持器具Ｘにおいて、円筒体１は、トラフ敷設箇所ＳＯに打込んだ各支持杭Ｚの杭中心線ｋの方向に移動自在にして、各支持杭Ｚに外嵌される。
各トラフ支持器具Ｘは、図１０及び図１１に示すように、各支持杭Ｚを杭嵌込み穴１０に挿通（貫通）して配置される。
【００４４】
円筒体１に支持杭Ｚを嵌込むと、各トラフ支持器具Ｘを各支持杭Ｚの杭中心線ｋの方向に移動して、水平支持材３（水平板２５）の高さ位置を調整する。
各トラフ支持器具Ｘにおいて、円筒体１は、各支持杭Ｚによって案内されながら、各支持杭Ｚの杭中心線ｋの方向に移動される。
これにより、各トラフ支持器具Ｘは、杭中心線ｋの方向において、各支持杭Ｚに対して水平支持材３（水平板２５）を任意の位置にして、高さ調整される。
【００４５】
水平支持材３（水平板２５）の高さ調整すると、筒体固定具２によって各支持杭Ｚに外嵌した円筒体１を各支持杭Ｚに固定する。
各トラフ支持器具Ｘにおいて、筒体固定具２は、図１１に示すように、各ボルト２１，２２を突出片１２に向けて回動（回転）して、円筒体１（水平支持材３）を各支持杭Ｚに固定する。
円筒体１は、図１１に示すように、各ボルト２１，２２の回動によって、杭嵌込み穴１０の直径Ｄを狭めつつ、支持杭Ｚに当接、及び押付けられて、支持杭Ｚに固定される。
これにより、各トラフ支持器具Ｘにおいて、筒体固定具２は、各ボルト２１，２２によって、各支持杭Ｚに外嵌した円筒体１を、各支持杭Ｚの任意の位置（高さ位置）に固定する。
各トラフ支持器具Ｘは、トラフ敷設箇所ＳＯに打込んだ各支持杭Ｚの任意の位置に固定されて、各支持杭Ｚに設置される。
【００４６】
各トラフ支持器具Ｘを各支持杭Ｚに設置すると、トラフ挟持平板４、トラフ固定具５（固定ネジ軸６、座金板７、固定ナット８）を水平支持材３から取外す。
各トラフ支持器具Ｘにおいて、トラフ固定具５は、固定ナット８を固定ネジ軸６に対して、水平支持材３（水平板２５）から離間する方向に回転して、固定ネジ軸６から固定ナット８を取外し、更に、固定ネジ軸６から座金板７を取外す。
【００４７】
各トラフ支持器具Ｘにおいて、固定ナット８及び座金板７を固定ネジ軸６から取外すと、固定ネジ軸６を水平支持材３（水平板２５）のガイド長穴３１から抜き出す。
これにより、トラフ挟持平板４及び固定ネジ軸６は、水平支持材３（水平板２５）から取外される。
【００４８】
各トラフ支持器具Ｘのトラフ挟持平板４を水平支持材３から取外すと、各トラフ挟持平板４をケーブルトラフＹに取付ける。
一対の各トラフ挟持平板４は、図１２乃至図１５に示すように、ケーブルトラフＹの各トラフ長さ端５１Ｂ，５１Ｃから第１及び第２突条５２，５３内に挿入(圧入)されて、各トラフ長さ端５１Ｂ，５１Ｃ側に配置される。
【００４９】
各トラフ挟持平板４は、図１３乃至図１５に示すように、第１及び第２突条５２，５３の各横条部６２，６６及びトラフ本体５１の底面５１Ａの間（横溝隙間ε２）に挿入（圧入）されて、第１及び第２横条部６２，６６に当接される。各トラフ挟持平板４は、板裏平面４ｂを第１及び第２横条部６２，６６に当接して配置される。各トラフ挟持平板４は、第１及び第２突条５２，５３の各縦条部６１，６５の間（縦溝隙間ε１）に挿入される。
これにより、各トラフ挟持材４は、トラフ本体５１の各トラフ長さ端５１Ｂ，５１Ｃ側において、第１及び第２突条５２，５３内に配置されて、トラフ本体５１に取付けられる。
【００５０】
各固定ネジ軸６は、図１２乃至図１４に示すように、各トラフ挟持平板４の第１及び第２突条５２，５３内への挿入に伴って、第１及び第２突条５２，５３の各横条部６２，６６の間（挿入隙間σ）に挿入されて、トラフ本体５１に取付けられる。
これにより、各固定ネジ軸６は、第１及び第２横条部６２，６６の間を貫通（挿通）して、第１及び第２突条５２，５３から各横条部６２，６６の外方（下方）に突出して延在される。
【００５１】
各トラフ挟持平板４を第１及び第２突条５２，５３内に挿入すると、各トラフ挟持平板４をトラフ本体５１の長手方向ＬＤに移動して、各固定ネジ軸６の間（相互の間）を各支持杭Ｚの杭間隔に調整する。
各トラフ挟持平板４は、図１４及び図１５に示すように、第１及び第２突条５２，５３の各縦条部６１，６５、及び各横条部６２，６６によって案内されつつ、トラフ本体５１の長手方向ＬＤに摺動される。
【００５２】
各固定ネジ軸６は、各トラフ挟持平板４の移動に伴って、第１及び第２横条部６２，６６に当接（接触）することなく、トラフ本体５１の長手方向ＬＤにおいて、第１及び第２横条部６２，６６の間（挿入隙間σ）を移動する。
【００５３】
各固定ネジ軸６を各支持杭Ｚの杭間隔に調整すると、各トラフ挟持材４を取付けたケーブルトラフＹ（トラフ本体５１）を、各支持杭Ｚに設置した各トラフ支持器具Ｘの水平支持材３（水平板２５）に載置する。
ケーブルトラフＹは、図１２及び図１３に示すように、各固定ネジ軸６を各トラフ支持器具Ｘの水平支持材３（水平板２５）のガイド長穴３１に挿入して、第１及び第２横条部６２，６６を水平板２５上（水平支持材３上）に載置する。各トラフ支持器具Ｘにおいて、水平支持材３は、第１及び第２横条部６２，６６を水平板２５の板表平面２５ａ上に載置する。
これにより、ケーブルトラフＹは、トラフ本体５１の長手方向ＬＤを各トラフ支持器具Ｘの間（各支持杭Ｚの間）に向けて、各支持杭Ｚに設置した各トラフ支持器具Ｘの間（各水平支持材３の間）に架設される。
【００５４】
トラフ本体５１に取付けた各固定ネジ軸６は、図１２及び図１３に示すように、円筒体１の筒中心線ａの方向ＵＤに移動自在に、第１及び第２横条部６２，６６の間（挿入隙間σ）、及び水平支持材３（水平板２５）のガイド長穴３１の順に貫通（挿通）して、水平支持材３から突出される。
各固定ネジ軸６は、円筒体１の筒中心線ａの方向ＵＤ、及び筒中心線ａと直交する方向ＬＲに移動自在として、ガイド長穴３１を貫通（挿通）して、水平板２５の板裏平面２５ｂから水平支持材３の下方（外方）に突出される。
各固定ネジ軸６は、円筒体１の筒中心線ａの方向ＵＤにおいて、水平板２５の板裏平面２５ａから離間する方向（下方）に突出される。
【００５５】
ケーブルトラフＹは、円筒体１の筒中心線ａを直交する方向ＬＲ（左右方向ＬＲ）に移動することで、水平支持材３（水平板２５）において、左右方向ＬＲの位置を調整する。
ケーブルトラフＹは、各固定ネジ軸６及びガイド長穴３１によって案内しつつ、左右方向ＬＲに移動される。
【００５６】
ケーブルトラフＹを各トラフ支持器具Ｘに載置すると、ケーブルトラフＹをトラフ固定具５によって各トラフ支持器具Ｘに固定する。
各トラフ支持器具Ｘにおいて、トラフ固定具５は、図１２及び図１３に示すように、水平支持材３（水平板２５）から突出した各固定ネジ軸６に、各座金板７を外嵌して配置し、及び各固定ナット８を螺着する。
各固定ナット８は、水平支持材３から突出した各固定ネジ軸６に螺着されて、円筒体１の筒中心線ａの方向ＵＤから水平支持材３（水平板２５の板裏平面２５ａ）に当接自在に配置される。
【００５７】
各固定ナット８を各固定ネジ軸６に螺着すると、各固定ナット８を水平支持材３（水平板２５）に向けて回転して、水平支持材３（水平板２５）に当接する。各固定ナット８は、図１２及び図１３に示すように、各座金板７を介して水平板２５の板裏平面２５ａに当接される。
【００５８】
各トラフ支持器具Ｘにおいて、トラフ固定具５は、各固定ナット８を回転し、及び水平支持材３（水平板２５の板裏平面２５ａ）に締付ける（押付ける）。
これにより、水平支持材３（水平板２５）及びトラフ本体５１に取付けた各トラフ挟持平板４は、図１３に示すように、各固定ネジ軸６及び各固定ナット８の締付け力によって、第１及び第２横条部６２，６６を挟持して、ケーブルトラフＹ（トラフ本体５１）を各トラフ支持器具Ｘ（水平板２５）に固定する。
【００５９】
このように、鉄道線路ＲＷの側方（トラフ敷設箇所ＳＯ）に沿って複数の支持杭Ｚを打込んで、及び各支持杭Ｚにトラフ支持器具Ｘを設置する。複数の支持杭Ｚに設置したトラフ支持器具Ｘに複数のケーブルトラフＹを連続して載置して固定することで、複数のケーブルトラフＹは、鉄道路線ＲＷの側方（トラフ敷設箇所ＳＯ）に沿って連続して敷設する。
鉄道線路ＲＷに沿って連続して敷設した複数のケーブルトラフＹは、図１２に示すように、トラフ上部５５をトラフ下部５６に対して開いて、トラフ下部５６に光ファイバ、光ケーブル等のケーブルＣＢを収納する。
【００６０】
本考案では、図１６に示すように、ケーブル敷設箇所ＳＯに打込んだ各支持杭Ｚに、複数（例えば、３つ）のトラフ支持器具Ｘを設置することで、複数（例えば、３つ）のケーブルトラフＹを支持杭Ｚの杭中心線ｋの方向に並列して敷設することができる。図１６において、各ケーブルトラフＹは、図８乃至図１５で説明したと同様に、各トラフ支持器具Ｘに載置及び固定される。
【００６１】
本考案では、ケーブルトラフＹを敷設する箇所（場所）は、鉄道線路ＲＷの側方に限定されない。
【産業上の利用可能性】
【００６２】
本考案は、ケーブルトラフを敷設箇所に敷設するのに最適である。
【符号の説明】
【００６３】
Ｘ  トラフ支持器具
Ｙ  ケーブルトラフ
Ｚ  支持杭
ａ  筒中心線
ｋ  杭中心線
１  円筒体
２  筒体固定具（筒固定体）
３  水平支持材
４  トラフ挟持材（トラフ挟持平板）
５  トラフ固定具（トラフ固定体）
６  固定ネジ軸
８  固定ナット
５１  トラフ本体
５２  第１突条（第１突起）
５３  第２突条（第２突起）
６２  第１横条部（第１横突起部）
６６  第２横条部（第２横突起部）
【図１】
0003230633.tif 000003
【図２】
0003230633.tif 000004
【図３】
0003230633.tif 000005
【図４】
0003230633.tif 000006
【図５】
0003230633.tif 000007
【図６】
0003230633.tif 000008
【図７】
0003230633.tif 000009
【図８】
0003230633.tif 000010
【図９】
0003230633.tif 000011
【図１０】
0003230633.tif 000012
【図１１】
0003230633.tif 000013
【図１２】
0003230633.tif 000014
【図１３】
0003230633.tif 000015
【図１４】
0003230633.tif 000016
【図１５】
0003230633.tif 000017
【図１６】
0003230633.tif 000018